(57)【要約】      （修正有）【課題】フレコンバッグを直立させ、かつ、その蓋部を開いて、容量一杯まで内容物を確実に充填することができ、また、充填作業を容易に行なうことができ、スタンドとしての構造も合理化することができるようにする。【解決手段】フレコンバッグの左右及び後の３方を囲む側枠１１、１２、１３と底枠１４によってスタンド本体を形成するとともに、フレコンバッグが弛んだ状態でスタンドに装着されるのを防止するために、空の状態ではフレコンバッグが吊り上げられる高さにスタンド本体の左右両側枠１１、１２の高さを延長し、スタンド本体の正面に設定されるフレコンバッグの投入口Ｔを拡大するために、左右両側枠１１、１２の正面上部において、上部が後方へ傾斜する傾斜枠部１１ａ、１２ａを形成し、それによって左右両側枠の上辺１１ｂ、１２ｂの前後長さを狭くするとともに、狭くなった左右両側枠の上辺をフレコンバッグの蓋部を被せる固定部とする。【選択図】図１
0003123423.tif 000002
【実用新案登録請求の範囲】
【請求項１】
内容物を充填する上向きの開口部分を有し、フレコンバッグと呼ばれる種類の袋状容器を、立てて積載するためのスタンドであって、フレコンバッグの左右及び後の３方を囲む側枠と底枠によってスタンド本体を形成するとともに、フレコンバッグが弛んだ状態でスタンドに装着されるのを防止するために、空の状態ではフレコンバッグを吊り上げて支えられる高さにスタンド本体の左右両側枠の高さを延長し、スタンド本体の正面に設定されるフレコンバッグの投入口を拡大するために、左右両側枠の正面上部において、上部が後方へ傾斜する傾斜枠部を形成し、それによって左右両側枠の上辺の前後長さを狭くするとともに、狭くなった左右両側枠の上辺をフレコンバッグの蓋部を被せる固定部としたことを特徴とするフレコンバッグ積載用スタンド。
【請求項２】
スタンド本体を構成する左右両側枠の上辺の後部に、フレコンバッグの吊り輪を引っ掛けて吊り下げるために左右１対の係止部を設けた構成を有する請求項１記載のフレコンバッグ積載用スタンド。
【考案の詳細な説明】
【技術分野】
【０００１】
本考案は、内容物を充填する上向きの開口部を有し、フレコンバッグと呼ばれる種類の袋状容器を、立てて積載するためのフレコンバッグ積載用スタンドに関するものである。
【背景技術】
【０００２】
例えば、産業廃棄物などの収集や、搬送に使用される袋状容器として、フレコンバッグ（フレキシブルコンテナーバッグ）と呼ばれるものがあり、広く利用されている。この種の袋状容器は、角型や円筒型など形状はさまざまであるが、合成繊維やシート類を用いて強靭かつ柔軟な構造に形成されており、数百キログラムの内容物を充填することができる。しかし柔軟であるため、バッグを直立させることが困難であり、充填等の作業を行う際には何らかの支えが必要である。
【０００３】
従来、フレコンバッグを支えるには、例えば金属製の台の四隅にポールを立てたスタンドを用いて行う方法が行なわれていた。しかし、内容物が軽量の場合や、或いは重量物でも少量の内は問題がないが、何百キロもの内容物を充填すると安定した直立は困難となる。また、充填した内容物により膨らむので、フレコンバッグをスタンドから取り出すときにポールを圧迫し、引っ張り上げてもスタンドから離れにくく、スタンドごと動いてしまうという問題があった。
【０００４】
また、フレコンバッグにはベルトが付属しているが、これがフレコンバッグとスタンドとの間に挟まれたまま内容物が充填されてしまうと、ベルトを後から取り出すことは困難となる。そこで本考案者は、先に、数百キログラムの内容物を充填した場合でも、安定した直立状態を維持し、かつ、内容物を充填した後でのフレコンバッグの取り出しを容易に行え、また、付属するベルトが挟まれないようにしたフレコンバッグ積載用スタンドを開発した（実願２００６−４６１号）。しかし、フレコンバッグが弛んだ状態でスタンドに装着されるため、容量一杯まで内容物を充填することが困難であった。また、フレコンバッグの蓋部分が塞がれたり、内容物を充填する際の邪魔になったりするとか、蓋部分を、クリップを用いて固定しても外れ易く、クリップを紛失することもあるというような問題があった。
【０００５】
【特許文献１】特開平８−１６９３４４号
【特許文献２】特開２００４−１５５４５７号
【考案の開示】
【考案が解決しようとする課題】
【０００６】
本考案は上記の点に着目して成されたもので、その課題はフレコンバッグを直立させ、かつ、その蓋部を開いて、容量一杯まで内容物を確実に充填することができるようにすることである。また、本考案の他の課題は、充填作業を容易に行なうことができ、スタンドとしての構造も合理化することができるようにすることである。
【課題を解決するための手段】
【０００７】
前記の課題を解決するため本考案は、内容物を充填する上向きの開口部分を有し、フレコンバッグと呼ばれる種類の袋状容器を、立てて積載するためのスタンドについて、フレコンバッグの左右及び後の３方を囲む側枠と底枠によってスタンド本体を形成するとともに、フレコンバッグが弛んだ状態でスタンドに装着されるのを防止するために、空の状態ではフレコンバッグが吊り上げられる高さにスタンド本体の左右両側枠の高さを延長し、スタンド本体の正面に設定されるフレコンバッグの投入口を拡大するために、左右両側枠の正面上部において、上部が後方へ傾斜する傾斜枠部を形成し、それによって左右両側枠の上辺の前後長さを狭くするとともに、狭くなった左右両側枠の上辺をフレコンバッグの蓋部を被せる固定部とするという手段を講じたものである。
【０００８】
本考案のスタンドは、内容物を充填する上向きの開口部分を有し、柔軟な構造を持っているフレコンバッグと呼ばれる種類の袋状容器を、内容物を充填したまま立てて積載することを目的とする。故に、フレコンバッグを立てて積載できることが第１であるので、この条件を満たすものであれば、車輪を持っていなくても、また、持っていても請求項１のスタンドに該当する。フレコンバッグは袋状容器であり、その上向きの開口部分は蓋とも呼ばれ、これを縛ることにより閉塞することができる。従来、フレコンバッグの使用中に内容物の充填と一緒にその蓋がフレコンバッグの中に入り込み易く、そうなると取り扱いにくいが、本考案はその問題を起こさないことも目的の一つである。
【０００９】
即ち、本発明では、フレコンバッグの開口部分を十分に開いておくために、フレコンバッグが弛んだ状態でスタンドに装着されるのを防止するものとし、そのために、空の状態ではフレコンバッグが吊り上げられる高さに、スタンド本体の左右両側枠の高さを延長する。なお、本考案のフレコンバッグ積載用スタンドを構成するスタンド本体は、フレコンバッグの左右及び後の３方を囲む側枠と底枠とを有している。スタンド本体を構成している左右及び後の３方を囲む側枠と底枠とは、柔軟性のあるフレコンバッグが食い込まないように、枠構造でも要所に板材を張るなどして、できるだけ平面的な構造を有していることが望ましい。また、スタンド本体の正面には、フレコンバッグの前を囲む側枠として、左右の側枠の前部に掛け渡す棒状の横枠を少なくとも１個備えている。
【００１０】
左右両側枠の高さを延長することは、スタンド本体の背がそれだけ高くなることであるから、スタンド本体の正面上部に設定されるフレコンバッグの投入口の位置がそれだけ遠のくことになり、作業性を低下させる。この問題を解決するために、本考案では左右両側枠の正面上部において、上部が後方へ傾斜する傾斜枠部を形成し、フレコンバッグに充填される内容物の投入を容易化する。この結果、左右両側枠を上方へ延長したままでは上向きに開口していた投入口が、正面上部において後方へ傾斜した状態となるので、左右両側枠の正面上部が後方へ移動し、フレコンバッグをスタンドにセットする際にも接触しにくくなり、また、接触しても引っ掛かることなく、スタンド本体にセットし易くなる。
【００１１】
左右両側枠の正面上部において、上部が後方へ傾斜する傾斜枠部を形成することは、左右両側枠の上辺の前後長さを狭くすることであるとともに、左右両側枠の上辺は、狭くなっているので、本考案ではフレコンバッグの蓋部分を被せる固定部を構成するにも便宜である。即ち、袋状容器であるフレコンバッグの蓋部分を外に開いて、狭くなった左右両側枠の上辺に被せ易いものとなる。左右両側枠の上辺に被せたフレコンバッグの開口部分の固定には、係止部に掛ける吊り輪や紐類を使用することができる。
【００１２】
スタンド本体を構成する左右両側枠の上辺の後部に、フレコンバッグの吊り輪を係止するために、係止部を設ける。係止部は、空のフレコンバッグを吊り上げ状態で、スタンド本体に取り付けるための手段であり、従来は前後左右計４個必要であったが、本考案では後部に左右１対計２個あれば十分である。フレコンバッグを吊り下げるのは、フレコンバッグを弛みのない状態にするためであり、従って、過剰に吊り上げる必要はないが、例えば４００リットルの内容量の場合には、底枠上面から約１０センチメートル吊り上げられれば良い。
【００１３】
スタンド本体を構成する左右及び後の側枠のどれかまたは全部が、下部に車輪を有し、かつ、上下方向への移動を防止する係合ピンにより底枠と係合しており、それにより、棒状の横枠を受け部から外したときに側枠が左右方向外方へ開き得るようにした構成を有することは、本考案にとって望ましい構成である。
【００１４】
フレコンバッグは内容物を充填する上向きの開口部分を有し、かつまた、開口部分を開いたり、閉じたりするために、紐やベルトが付属しているものとする。付属している紐やベルトを用いてフレコンバッグの開口部分、つまり、蓋を縛るものとする。
【考案の効果】
【００１５】
本考案は上記のように構成されかつ作用するものであるから、スタンド本体の左右両側枠にフレコンバッグを吊り上げられるので、フレコンバッグをほぼ直立させてスタンド本体に配置し、かつ、その蓋の開口部分を十分に開いておき、容量一杯まで内容物を確実に充填することができるようになる。また、本考案によれば、フレコンバッグを確実に固定し、かつ、開口を十分に開いておくことができるので、より多量の内容物を充填する作業を容易に行なうことができる。そしてスタンド本体にフレコンバッグを固定するに当たり、１対の係止部で足りるため、スタンドとしての構造も合理化することができる。
【考案を実施するための最良の形態】
【００１６】
以下図示の実施形態を参照して、本考案に係るフレコンバッグ積載用スタンド１０の一例について、より詳細に説明する。図１はその全体図であり、本スタンド１０は、柔軟な構造を持っているフレコンバッグと呼ばれる種類の袋状容器Ｃを、内容物を充填したまま立てて積載することを一つの目的としている。
【００１７】
本考案のフレコンバッグ積載用スタンド１０を構成するスタンド本体は、フレコンバッグの左右及び後の３方を囲む側枠１１、１２、１３と底枠１４とを有している。スタンド本体を構成している左右及び後の３方を囲む側枠１１、１２、１３は、格子枠状の骨格構造を有しており、その内、左右の側枠１１、１２については、柔軟性のある袋状容器Ｃのフレコンバッグが食い込まないように、その格子骨格の内面を板材１５によって覆い、平面的な表面構造を持たせている。後の側枠に板材１５を設けても良いが、図示の例ではそうしていない。
【００１８】
フレコンバッグは袋状容器Ｃであり、その上向きの開口部分は、蓋Ｃ′を紐で縛ることにより閉塞することができる。また、本発明では、フレコンバッグの開口部分を十分に開いておくために、フレコンバッグが弛んだ状態でスタンド本体に装着されるのを防止するものとし、そのために、空の状態ではフレコンバッグが吊り上げられ、その底が、スタンド本体の底枠１４を離れる高さに、スタンド本体の左右両側枠１１、１２の高さを延長する。延長の結果、左右両側枠１１、１２は後側枠１３の高さよりも上方に伸びた延長枠部を有する。
【００１９】
左右両側枠の高さを延長した延長枠部により、スタンド本体の背がそれだけ高くなるので、スタンド本体の正面上部に設定されるフレコンバッグの投入口Ｔの位置がそれだけ遠のくことになる。そこで、本考案では左右両側枠１１、１２の正面上部において、上部が後方へ傾斜する傾斜枠部１１ａ、１２ａを形成してフレコンバッグへの内容物の投入を容易化する。傾斜枠部１１ａ、１２ａは、上辺１１ｂ、１２ｂ、さらに後部延長部１１ｃ、１２ｃに連絡している。この結果、左右両側枠を上方へ延長したままでは、上を向いていたに過ぎない正面開口が、上部において後方へ傾斜した投入口Ｔになるので、左右両側枠１１、１２の上端が後方へ移動し、フレコンバッグを出し入れする際にも、フレコンバッグと接触しにくくなる。また、左右両側枠１１、１２の上辺１１ｂ、１２ｂは狭くなっているので、フレコンバッグの開口部分を被せ易い。上辺１１ｂ、１２ｂは、袋状容器Ｃであるフレコンバッグの蓋部を被せる固定部を構成する。
【００２０】
図示の例の場合、スタンド本体を構成する左右及び後の側枠１１、１２、１３は、夫々の下部に車輪２０、２０′を有している。車輪２０、２０′は、図４に車輪取り付け基板１６、１７、１８、１９としてその位置のみ示してあり、前車輪の左のもの１６は左側枠１１の下部に、前車輪の右のもの１７は右側枠１２の下部に、後車輪は左右のもの１８、１９がともに後側枠１３の下部に設置されている。例示した車輪２０、２０′はストッパー付きと、そうでないキャスターを使用している。
【００２１】
また、スタンド本体を構成する右の側枠１２は、後側枠１３にヒンジ２１によって、回転可能に結合されている（図１、図３、図７参照）。従って、スタンド本体を構成する左右及び後の側枠１１、１２、１３は、４個の車輪によって支えられ、各図に示されているコの字型の平面形状を取ることは勿論のこと、右側枠１２のみを内側に回転させて後側枠１３の前面に折り畳み、平面Ｌ字状にして片付けることができる。底枠１４は、図示のように平板状に形成された部材であり、その後部において後側枠１３の下部にヒンジ２２によって、回転可能に結合されており、かつ、４個の車輪取り付け基板１６、１７、１８、１９の上に載って荷重を支えるように構成されている。
【００２２】
また、底枠１４は、その前部において、左右側枠１１、１２の孔部２３、２４と係合する係合ピン２５、２６により上下方向への移動を防止されており、それにより、上下２段に設けられた棒状の横枠３０を夫々左右側枠１１、１２に設けた受け部３１、３２から外したときに左右側枠１１、１２が左右方向外方へ開き得るようにした構成を有する（図８参照）。係合ピン２５、２６は底枠１４の下部に突き出した凸部２７、２８を操作部として左右に出没操作可能である。
【００２３】
スタンド本体の正面には、フレコンバッグの正面を囲む側枠として、左右の側枠の前部に掛け渡す棒状の横枠３０を上下に２個備えている。棒状の横枠３０は、内容物を充填して膨らんでいるフレコンバッグに食い込み得るものであるが、これは、スタンド本体から外してしまうものである。図示の例における棒状の横枠３０は、内部が中空の円形パイプ状の物である。しかし、その他の形状、構造でも差し支えない。
【００２４】
本考案における棒状の横枠３０は、左右両端を、左側枠１１及び右側枠１２に設けられた受け部３１、３２に着脱可能に嵌合する鉤型の形状を持つ係合部３３、３４を有している。図示の係合部３３、３４は、棒状の横枠３０の両端部を下方へ曲げ加工したもので、それを受け入れるための受け部３１、３２は、左右の側枠１１、１２の前部に設けた縦方向の開口よりなる。故に、棒状の横枠３０は、両端の係合部３３、３４がともに受け部３１、３２に着脱可能に抜き差しされる構成である。
【００２５】
棒状の横枠３０には、表示板３５を設けることができる（図５参照）。表示板３５は積載物の内容表示や、管理のための事項などを表示する。そして、左右両側枠１１、１２の上辺１１ｂ、１２ｂの後部には、フレコンバッグを吊り下げるために、吊り輪Ｆを掛ける係止部３６を設ける。係止部３６は、空のフレコンバッグを吊り上げ状態で、スタンド本体に取り付けるための手段であり、従来は４個必要であったが、本考案では左右１対計２個である。フレコンバッグを吊り下げるのは、フレコンバッグを弛みのない状態にするためであり、例えば４００リットルの内容量のものに対しては、底枠１４の上面から約１０センチメートル吊り上げられれば良い。
【００２６】
このように構成された本考案に係るフレコンバッグ積載用スタンド１０は、図２に示すように、左右及び後の側枠１１、１２、１３、底枠１４によって構成されるスタンド本体に、棒状の横枠３０を取り付けてフレコンバッグをセットするときにも、上部において後方へ傾斜した投入口Ｔになっているので、フレコンバッグが接触しても引っ掛からず、スムーズにセットすることを可能にする。またセットされたフレコンバッグは、蓋Ｃ′の上向きの開口部分の周囲を左右両側枠１１、１２の上辺１１ｂ、１２ｂに被せるとともに、係止部３６と、吊り輪Ｆを使用して、開口部分を開いた状態に保つことができるので、内容物を充填する作業を円滑に実施することができる。従って、フレコンバッグを十分な高さに吊り上げておいて、その隅々にまで内容物を充填できるので、充填不足を起こすことがない。
【００２７】
内容物を充填した後、フレコンバッグをフレコンバッグ積載用スタンド１０から取り出すには、棒状の横枠３０を全て取り外し、スタンド本体の正面を開放する。フレコンバッグは内容物を充填したことにより膨らんでいるが、その圧力により左右の側枠１１、１２が外方へ開き、抵抗が少なくなるので、スムーズに取り出すことができる。取り出す際にも、左右両側枠１１、１２の正面上部において、上部が後方へ傾斜する傾斜枠部１１ａ、１２ａになっているので、従来のような角がなく、フレコンバッグが引っ掛かりにくい。
【産業上の利用可能性】
【００２８】
フレコンバッグとは呼ばれないが、同じような袋状容器の積載用としても利用することができる。
【図面の簡単な説明】
【００２９】
【図１】本考案に係るフレコンバッグ積載用スタンドの一例を示す斜視図。
【図２】本考案に係るフレコンバッグ積載用スタンドの使用例を示す斜視図。
【図３】本考案に係るフレコンバッグ積載用スタンドの一例を示す左側面図。
【図４】同じく平面図。
【図５】同じく正面図。
【図６】同じく背面図。
【図７】同じく右側面図。
【図８】同じく底枠を示すもので、Ａは一部省略平面図、Ｂは側面図、Ｃは一部省略正面図。
【符号の説明】
【００３０】
１０  フレコンバッグ積載用スタンド
１１  左側枠
１１ａ、１２ａ  傾斜枠部
１１ｂ、１２ｂ  上辺
１１ｃ、１２ｃ  後部延長部
１２  右側枠
１３  後側枠
１４  底枠
１５  板材
１６、１７、１８、１９  車輪取り付け基板
２０  車輪
２３、２４  孔部
２５、２６  係合ピン
２７、２８  凸部
３０  棒状の横枠
３１、３２  受け部
３６  係止部
【図１】
0003123423.tif 000003
【図２】
0003123423.tif 000004
【図３】
0003123423.tif 000005
【図４】
0003123423.tif 000006
【図５】
0003123423.tif 000007
【図６】
0003123423.tif 000008
【図７】
0003123423.tif 000009
【図８】
0003123423.tif 000010